(57)【要約】【課題】小型化しながら、給水接続口へ供給される洗浄水の給水圧力が変動したとしても、吐水された洗浄水の流量や流速を安定させ、ボウル部からの水跳ね発生を抑制できるオストメイト用汚物流しを提供すること。【解決手段】建物の壁面に沿って配置されるオストメイト用汚物流しであって、汚物が投入可能となるように上方が開口され、周壁面が略楕円形状に形成されたボウル部と、封水が溜まる溜水部と、溜水部の下部から上昇するように形成され、溜水部に封水を形成するトラップ管路と、ボウル部の周壁面に開口し、周壁面に沿って水平方向に旋回するように洗浄水を吐水する吐水口と、給水源と接続された給水接続口と吐水口とを連通する導水路と、を備え、導水路は、給水接続口よりも流路断面積が狭い絞り部と、絞り部よりも下流側において、流路断面積が絞り部及び吐水口の流路断面積よりも広い膨張部と、を有することを特徴とする。【選択図】  図４
2018126333.tif 000002
【特許請求の範囲】
【請求項１】
建物の壁面に沿って配置されるオストメイト用汚物流しであって、
汚物が投入可能となるように上方が開口され、周壁面が略楕円形状に形成されたボウル部と、
前記ボウル部の底面から窪むように形成され、封水が溜まる溜水部と、
前記溜水部の下部から前記壁面に向かって上昇するように形成され、前記溜水部に前記封水を形成するトラップ管路と、
前記ボウル部の周壁面に開口し、この周壁面に沿って水平方向に旋回するように洗浄水を吐水する吐水口と、
給水源と接続された給水接続口と前記吐水口とを連通する導水路と、
を備え、
前記導水路は、前記給水接続口よりも流路断面積が狭い絞り部と、
前記絞り部よりも下流側において、流路断面積が前記絞り部及び前記吐水口の流路断面積よりも広い膨張部と、を有することを特徴とするオストメイト用汚物流し。
【請求項２】
前記絞り部の流路断面積は、前記吐水口の流路断面積よりも狭いことを特徴とする請求項１記載のオストメイト用汚物流し。
【請求項３】
前記絞り部の流路断面積は、前記吐水口の流路断面積よりも広いことを特徴とする請求項１記載のオストメイト用汚物流し。
【請求項４】
前記膨張部の流路断面積は、前記絞り部側から前記吐水口側に向かって徐々に狭くなっていることを特徴とする請求項２又は請求項３記載のオストメイト用汚物流し。
【請求項５】
前記導水路は、略Ｌ字状に屈曲しており、
前記吐水口は、前記ボウル部の後方側の周壁面に形成されており、前記吐水口から前記周壁面に吐水された洗浄水は、前記後方側の周壁面を左右何れかの一方側から他方側へと流れることを特徴とする請求項２乃至又は請求項４記載のオストメイト用汚物流し。
【発明の詳細な説明】
【技術分野】
【０００１】
本発明は、人工肛門や人工膀胱などの保持者である「オストメイト」と呼ばれる方々が使用するオストメイト用汚物流しに関する。
【背景技術】
【０００２】
人工肛門や人工膀胱などの保持者であるオストメイトと呼ばれる方々は、身体の腹部に排泄物（以下、汚物という）を溜めておくための袋、いわゆるパウチを装着しており、時折、トイレにおいて溜まった汚物を廃棄したり、パウチの内面、ストーマ（腹部に造設された排泄口）、ストーマ付近の腹部などに着いた汚物を洗い流したりするなどの作業を行う必要がある。
【０００３】
そして、オストメイトと呼ばれる方々が外出先で作業を行うための専用設備として、例えば特許文献１に記載されたオストメイト用汚物流しが提案されている。
この特許文献１に記載されたオストメイト用汚物流しにおいては、ボウル部の周壁面を旋回するように吐水して、ボウル部内に廃棄された汚物を排出するように構成されており、ボウル部の形状がシンプルであるため、排出後にボウル部に汚物が残っていたとしても目視で簡単に把握でき、また、その除去も容易に行うことができ、衛生面で優れたものとなっている。
【０００４】
また、近年、バリアフリー法の施行に伴い、公共施設においては多目的用トイレルームの設置が促進されているが、その障壁となるのがスペースの確保である。即ち、多目的トイレルームは車椅子利用者が利用するために健常者が利用する一般的なトイレルームよりも広い面積が必要となる。
そのため、多目的トイレルームに設置されるオストメイト用汚物流しには、狭い面積でも設置できる小型化の要望が高まってきている。
【先行技術文献】
【特許文献】
【０００５】
【特許文献１】特許第０４９４１３３６号
【発明の概要】
【発明が解決しようとする課題】
【０００６】
オストメイト用汚物流しを小型化する際は、ボウル部と壁面との間に給水流路やトラップ管路等の管路を配置するための管路配置スペースが必要になるため、単純にボウル部の縮尺を小さくすることはできない。
また、オストメイト用汚物流しの小型化において、オストメイトの方々の使い勝手を考慮してボウル部の開口面積を大きくするのが好ましいが、ボウル部の開口形状を、例えば、長方形などにしてボウル部の開口面積を大きくすると、洗浄水の旋回性が悪くなり洗浄性能が低下する。
そのため、特許文献１に記載されているオストメイト用汚物流しを小型化して、そのボウル部の開口形状を横長の略楕円形状することで、管路配置スペースを確保でき、且つ、ボウル部の開口面積が大きく、洗浄性能が良好なようにすることが考えられる。
【０００７】
しかしながら、小型化のためにボウル部の開口を横長の略楕円形状にした場合、コンパクト化したオストメイト汚物流しのボウル部は、ボウル部の周壁面の曲率が従来のオストメイト汚物流しより大きく、また周壁面の曲率の変化点においても変化が大きくなる。
このようなコンパクト化したオストメイト用汚物流しは、ボウル部の曲率の変化点において、洗浄水の乱れによる水跳ねが発生しやすい。
特に、給水接続口へ供給される洗浄水の給水圧力が変動し、吐水口から吐水される洗浄水の流量や流速が増減した場合、このような構成のオストメイト用汚物流しはより洗浄水の乱れが発生しやすい。
【０００８】
具体的には、商業施設などの複数の衛生機器が設置されている現場にオストメイト用汚物流しが設置される場合、オストメイト用汚物流しを使用した際に、複数の衛生陶器が使用されると給水圧力の変動が生じる。
【０００９】
本発明は、上記問題を解決するためになされたものであり、本発明の課題は、オストメイト用汚物流しを小型化しながら、給水接続口へ供給される洗浄水の給水圧力が変動したとしても、吐水口から吐水された洗浄水の流量や流速を安定させ、ボウル部からの水跳ね発生を抑制することができるオストメイト用汚物流しを提供することを目的としている。
【課題を解決するための手段】
【００１０】
上記目的を達成するために、請求項１に係るオストメイト用汚物流しにおいては、建物の壁面に沿って配置されるオストメイト用汚物流しであって、汚物が投入可能となるように上方が開口され、周壁面が略楕円形状に形成されたボウル部と、前記ボウル部の底面から窪むように形成され、封水が溜まる溜水部と、前記溜水部の下部から前記壁面に向かって上昇するように形成され、前記溜水部に前記封水を形成するトラップ管路と、前記ボウル部の前記周壁面に開口し、この周壁面に沿って水平方向に旋回するように洗浄水を吐水する吐水口と、給水源と接続された給水接続口と前記吐水口とを連通する導水路と、を備え、前記導水路は、前記給水接続口よりも流路断面積が狭い絞り部と、前記絞り部よりも下流側において、流路断面積が前記絞り部及び前記吐水口の流路断面積よりも広い膨張部と、を有することを特徴とする。
【００１１】
本請求項１に係るオストメイト用汚物流しによれば、ボウル部の周壁面が横長の略楕円形状に形成されているため、汚物を投入するための開口面積を確保しながら壁面からの突出量を抑えることができる。
導水路は、給水接続口よりも流路断面積が狭い絞り部と、絞り部よりも下流側において、流路断面積が絞り部及び吐水口の流路断面積よりも広い膨張部と、を有するので、給水接続口から導水路へ流入してきた洗浄水は、常に絞り部へ向かう流路では圧力上昇し、絞り部後の膨張部では圧力低下の影響を受ける。そのため、吐水口から吐水される洗浄水の流量及び流速が安定化するので、ボウル部からの水跳ね発生を抑制することができる。
また、上記導水路を用いれば、給水接続口へ供給される洗浄水の給水圧力が変動したとしても、洗浄水を安定させることができるため、ボウル部からの水跳ね発生を抑制することができる。
【００１２】
また、請求項２に係るオストメイト用汚物流しにおいては、前記絞り部の流路断面積は、前記吐水口の流路断面積よりも狭いことを特徴とする。
【００１３】
この請求項２に係るオストメイト用汚物流しによれば、絞り部の流路断面積が吐水口の流路断面積よりも狭い。つまり、流路断面積が、給水接続口＞吐水口＞絞り部の関係になっており、導水路において、絞り部での洗浄水の圧力が最も高く、吐水口での洗浄水の圧力は絞り部よりも広くなるので、膨張部における洗浄水の圧力変動抑制の作用を維持し、吐水口から安定して洗浄水を吐水することができる。
そのため、ボウル部内において洗浄水の乱れがなくなり、ボウル部からの水跳ねを抑制できる。
【００１４】
また、請求項３に係るオストメイト用汚物流しにおいては、前記絞り部の流路断面積は、前記吐水口の流路断面積よりも広いことを特徴とする。
【００１５】
この請求項３に係るオストメイト用汚物流しによれば、絞り部の流路断面積が吐水口の流路断面積よりも広い。つまり、流路断面積が、給水接続口＞絞り部＞吐水口の関係になっており、膨張部において、洗浄水の流路が絞り部で絞られた後に、さらに、絞り部よりも狭く絞られることになるので、洗浄水が吐水口を通過する際に整流することができる。
そのため、ボウル部内において洗浄水の乱れがなくなり、ボウル部からの水跳ねを抑制できる。
【００１６】
また、請求項４に係るオストメイト用汚物流しにおいては、前記膨張部の流路面積は、前記絞り部側から前記吐水口側に向かって徐々に狭くなっていることを特徴とする。
【００１７】
この請求項４に記載されたオストメイト用汚物流しにおいては、膨張部の流路断面積が絞り部側から吐水口側にかけて徐々に流路断面積が狭くなっているので、洗浄水を膨張部において整流して吐水口から吐水することができる。
そのため、ボウル部内において洗浄水の乱れがなくなり、ボウル部からの水跳ねを抑制できる。
【００１８】
また、請求項５に係わるオストメイト用汚物流しにおいては、前記導水路は、略Ｌ字状に屈曲しており、前記吐水口は、前記ボウル部の後方側の前記周壁面に形成されており、前記吐水口から前記周壁面に吐水された洗浄水は、後方側の周壁面を左右何れかの一方側から他方側へと流れることを特徴とする。
【００１９】
この請求項５に係るオストメイト用汚物流しによれば、導水路が、略Ｌ字状に屈曲し、吐水口が、ボウル部の後方側の周壁面に形成されており、吐水口から周壁面に吐水された洗浄水は、後方側の周壁面を左右何れかの一方側から他方側へと流れるため、この後方側の周壁面を流れる間に吐水口から吐水された直後に持つ洗浄水の流速を低下させることができ、周壁面を洗浄水が乗り越えにくくなるため、ボウル部からの水跳ねを抑制することができる。
【発明の効果】
【００２０】
本発明によれば、オストメイト用汚物流しを小型化しながら、給水接続口へ供給される洗浄水の給水圧力が変動したとしても、吐水口から吐水された洗浄水の流量や流速を安定させ、ボウル部からの水跳ね発生を抑制することができるオストメイト用汚物流しを提供することができる。
【図面の簡単な説明】
【００２１】
【図１】本発明の実施形態に係るオストメイト用汚物流しの斜視図である。
【図２】図１のＬ−Ｌ線における断面図である。
【図３】図１のＭ−Ｍ線における断面図である。
【図４】図２におけるＮ−Ｎ線における断面図である。
【図５】図４の矢印Ｐにおける矢視図である。
【図６】図４の矢印Ｑにおける矢視図である。
【発明を実施するための形態】
【００２２】
以下、本発明の実施形態について添付図面を参照しながら説明する。なお、各図面中、同様の構成要素には同一の符号を付して詳細な説明は適宜省略する。
【００２３】
図１は、本発明の実施形態に係るオストメイト用汚物流しの斜視図である。この図１に表すように、オストメイト用汚物流し１は、多目的トイレルームの壁面Ｋに壁掛け状に取り付けられて使用される。
なお、以降の説明においては、壁面Ｋに向かってオストメイト用汚物流し１の正面に立った使用者から見て、壁面Ｋに向かう側を「後方側」、壁面Ｋから離れる側を「前方側」と呼び、鉛直方向上側を「上方側」、鉛直方向下側を「下方側」と呼び、左右夫々の側を「左方側」、「右方側」と呼んで説明を行う。
【００２４】
オストメイト用汚物流し１は陶器製であり、汚物が投入可能となるように上方側が開口された椀状のボウル部３と、このボウル部３の下方側に形成され、下水配管との縁切りのための封水が溜まっている溜水部５とを備えている。ボウル部３の上端には略水平方向に延在するリム部７が形成されている。また、壁面Ｋには、水栓装置９が取り付けられている。この水栓装置９は配管（図示せず）によって供給された水または湯を吐水可能であり、オストメイトの方々が汚物を廃棄した後のパウチ等の洗浄を行うことができる。
【００２５】
また、ボウル部３の後方側面の右方側には、ボウル部３を洗浄するための洗浄水を吐水する吐水口１１が開口している。この吐水口１１へは、口径３５ｍｍの給水配管（図示せず）によって給水可能であり、壁面Ｋに設けられた操作ボタン１３を操作することで、給水配管に設けられたフラッシュバルブ（図示せず）が開弁して吐水口１１から吐水を行う。
【００２６】
次に、図２〜図４に基づいてボウル部３の具体的な形状について説明する。図２は図１のＬ−Ｌ線における断面図であり、図３は、図２のＭ−Ｍ線における断面図である。また、図４は、図２のＮ−Ｎ線における断面図である。
図２に示すように、ボウル部３は、上方側が開口された椀状であり、略鉛直方向に伸び、周囲を囲むように形成された周壁面３１０と、この周壁面３１０の下端から略水平方向に延びた底面３２０とから構成されている。周壁面３１０の上端には、内側に向かって形成されたリム部７が形成されている。また、底面３２０の略中央位置には、溜水部５が窪むように形成されている。また、吐水口１１から吐水された洗浄水を載せて旋回させるために、ボウル部３の周壁面３１０を周回するように周壁面３１０から水平方向に突出した棚部３３０が形成されている。
【００２７】
図３に示すように、溜水部５の下部にはトラップ管路１５が形成されている。このトラップ管路１５の上流端側となる排水流入口１５１が溜水部５後方側下部と連通しており、そこから後方側の壁面Ｋに向かって上昇しながら延びている。そして、このトラップ管路１５の下流端側の排水流出口１５３が壁面Ｋに向かって開口しており、壁面Ｋの排水配管（図示せず）と接続されている。
また、棚部３３０において、ボウル部３の前方側の中央位置には、棚部３３０を旋回する洗浄水の一部を溜水部５へ向かうように誘導する流れ誘導部３４０が形成されている。具体的には、流れ誘導部３４０は、棚面３３０ａの一部が切か欠かれた切り欠き３４０ａと、切り欠き３４０ａから溜水部５に向かって形成された誘導溝３４０ｂで構成される。
【００２８】
図４に示すように、ボウル部３の周壁面３１０はその上面視において、横長の略楕円形状に形成されている。そのため、壁面Ｋからの前出を抑えながら、汚物が投入される左右方向の開口面積を確保することができ、汚物の投入性を維持しながら壁面Ｋからの突出量を抑えることができる。
【００２９】
ボウル部３の周壁面３１０の具体的形状としては、上面視において、左右側方向に曲率Ｒ１で延びる後方側周壁面３１０Ｂと、この後方側周壁面３１０Ｂと対向するように前方側に形成され左右方向に曲率Ｒ２で形成された前方側周壁面３１０Ｆと、これら後方側周壁面３１０Ｂと前方側周壁面３１０Ｆとを繋ぐように前後方向に形成された左方側周壁面３１０Ｌと、左方側周壁面３１０Ｌと繋がっている前方側周壁面３１０Ｆの端部と逆の端部に繋がるように前後方向に形成された右方側周壁面３１０Ｒとを備えている。なお、後方側周壁面３１０Ｂの曲率Ｒ１は前方側周壁面３１０Ｆの曲率Ｒ２よりも小さい。また、左方側周壁面３１０Ｌおよび右方側周壁面３１０Ｒにおいて、後方側周壁面３１０Ｂと繋がる部分の曲率Ｒ３と、前方側周壁面３１０Ｆと繋がる部分の曲率Ｒ４とは、後方側周壁面３１０Ｂの曲率Ｒ１および前方側周壁面３１０Ｆの曲率Ｒ２よりも大きく形成されている（Ｒ１＜Ｒ２＜Ｒ３，Ｒ４）。
なお、これらの後方側周壁面３１０Ｂ、前方側周壁面３１０Ｆ、左方側周壁面３１０Ｌおよび右方側周壁面３１０Ｒは、図４に、二点鎖線で囲まれた領域として示されている。
【００３０】
また、ボウル部３には、後方側周壁面３１０Ｂであって、右方側周壁面３１０Ｒと繋がる位置に開口するように吐水口１１が形成されている。そして、この吐水口１１から吐水された洗浄水を載せて旋回させるために、ボウル部３の周壁面３１０を周回するように棚状に突出した棚部３３０が形成されている。棚部３３０は、上方面が略水平状の棚面３３０ａとなっており、吐水口１１から吐水された洗浄水が棚面３３０ａに載って旋回するようになっている。なお、棚面３３０ａに載って旋回する洗浄水は、重力によって一部が溜水部５に向かって流下しながら旋回し、ボウル部３の周壁面３１０および底面３２０の全体を洗浄する。
【００３１】
また、吐水口１１が、ボウル部３の後方側周壁面３１０Ｂであって、右方側周壁面３１０Ｒに近接して形成されており、吐水口１１から周壁面３１０に吐水された洗浄水は、後方側周壁面３１０Ｂを右方側から左方側へと流れるため、この後方側周壁面３１０Ｂを流れる間に吐水口１１から吐水された直後に持つ洗浄水の流速を低下させることができ、ボウル部からの水跳ねを抑制することができる。
【００３２】
また、前方側周壁面３１０Ｆに形成されている棚部３３０の左右方向の中央位置において、流れ誘導部３４０が形成されている。上面視において、流れ誘導部３４０の切り欠き３４０ａは、Ｖ字状に切り欠かれており、流れ誘導部３４０の誘導溝３４０ｂは、切り欠き３４０ａから溜水部５に向かって拡幅する形状となっている。
【００３３】
流れ誘導部３４０は、棚部３３０を旋回している洗浄水を切り欠き３４０ａによって誘導溝３４０ｂへ向かって流下するように誘導することができると共に、切り欠き３４０ａに至る以前に棚面３３０ａから流下して周壁面３１０を旋回している洗浄水の一部も誘導溝３４０ｂに流れ込むように誘導することができる。そのため、この流れ誘導部３４０によってボウル部３の前方側周壁面３１０Ｆから溜水部５に流下する洗浄水の量を多くすることができる。
【００３４】
次に、ボウル部３における吐水口１１近傍の形状について図４〜図６に基づいて説明する。図５は、図４の矢印Ｐにおける矢視図であり、図６は図４の矢印Ｑにおける矢視図である。
図４に示すように、吐水口１１へ洗浄水を導くために、ボウル部３の後方側に向かって開口している給水接続口１１１と、この給水接続口１１１と吐水口１１とを連通している導水路１１３とがボウル部３と一体に形成されている。給水接続口１１１にはフラッシュバルブ（図示せず）等の給水手段から伸びる給水配管（図示せず）が接続され、図１に示す操作ボタン１３を操作することで給水手段を作動することで、吐水口から一定量の洗浄水を吐水することが可能となっている。
【００３５】
図４において、導水路１１３は上面視において略Ｌ字状に屈曲しており、その屈曲部には絞り部１１３ａが形成され、絞り部１１３ａよりも下流側に膨張部１１３ｂが形成されている。具体的には、導水路１１３は、給水接続口１１１から前方に延び、絞り部１１３ａを通過した後で左方側へ向かって屈曲して延びた膨張部１１３ｂを通過し吐水口１１へと連通している。
【００３６】
図５、図６に示すように、絞り部１１３ａ及び吐水口１１は縦長の略矩形状に開口している。絞り部１１３ａと吐水口１１とは、縦方向（高さ方向）の長さは略同一であるが、横方向（幅方向）においては、吐水口１１の方が絞り部１１３ａよりも長く開口している。
【００３７】
なお、導水路１１３における洗浄水の流れ方向に直交する断面積である流路断面積は、給水接続口１１１＞膨張部１１３ｂ＞吐水口１１＞絞り部１１３ａとなっている。また、膨張部１１３ｂの流路断面積は、絞り部１１３ａ側から吐水口１１側へ徐々に狭くなって吐水口１１へと繋がるように形成されている。
【００３８】
給水接続口１１１から導水路１１３へ流入してきた洗浄水は、常に絞り部１１３ａへ向かう流路では圧力上昇し、絞り部１１３ａを通過後の膨張部１１３ｂでは圧力低下の影響を受ける。そのため、吐水口１１から吐水される洗浄水の流量及び流速が安定化するので、ボウル部３からの水跳ね発生を抑制することができる。また、導水路１１３を用いれば、給水接続口１１１へ供給される洗浄水の給水圧力が変動したとしても、吐水口１１から吐水される洗浄水の流量及び流速が安定化するので、ボウル部３からの水跳ね発生を抑制することができる。
さらに、吐水口から吐水された流量及び流速が安定化した洗浄水により、洗浄水の溜水部へ流下する位置を制御することができるため、より効率的に汚物を外部へ排出させる効果もある。
【００３９】
また、膨張部１１３ｂは、絞り部１１３ａ側から吐水口１１側へ徐々に流路断面積が狭くなっていることにより、膨張部１１３ｂを流れる洗浄水を整流し、整流された洗浄水を吐水口１１から吐水することができる。
また、吐水口１１での洗浄水の圧力は絞り部１１３ａよりも広くなるので、膨張部１１３ｂにおける洗浄水の受ける圧力変動の影響抑制の作用を維持し、吐水口１１から洗浄水を確実に吐水することができる。そして、吐水口１１が後方側周壁面３１０Ｂの曲面の接線に沿って形成されているので、吐水口１１から吐水される洗浄水が後方側周壁面３１０Ｂと衝突せず、水跳ねを生じることなくスムーズに棚部３３０に載って旋回を開始することができる。
【００４０】
以上、本発明の実施形態について説明した。しかし、本発明はこれらの記述に限定されるものではなく、例えば、オストメイト流しは、壁掛けでなく、床置きされているものであってもよい。
【００４１】
また、本発明の実施形態において、導水路１１３の流路断面積の変形例を示す。
この変形例においては、導水路１１３における流路断面積が給水接続口１１１＞膨張部１１３ｂ＞絞り部１１３ａ＞吐水口１１となっている。
この場合、膨張部１１３ｂにおいて、洗浄水の流路が絞り部１１３ａで絞られた後に、さらに、絞り部１１３ａよりも狭く絞られることになるので、洗浄水が吐水口１１を通過する際に整流を行うことができる。
【符号の説明】
【００４２】
１        オストメイト用汚物流し
３        ボウル部
３１０    周壁面
３１０Ｂ  後方側周壁面
３１０Ｆ  前方側周壁面
３１０Ｒ  右方側周壁面
３１０Ｌ  左方側周壁面
３２０    底面
３３０    棚部
３３０ａ  棚面
３４０    流れ誘導部
３４０ａ  切り欠き
３４０ｂ  誘導溝
５        溜水部
７        リム部
９        水栓装置
１１        吐水口
１１１      給水接続口
１１３    導水路
１１３ａ    絞り部
１１３ｂ    膨張部
１３    操作ボタン
１５    トラップ管路
１５１    排水流入口
１５３    排水流出口
Ｋ    壁面
【図１】
2018126333.tif 000003
【図２】
2018126333.tif 000004
【図３】
2018126333.tif 000005
【図４】
2018126333.tif 000006
【図５】
2018126333.tif 000007
【図６】
2018126333.tif 000008